(57)【要約】【課題】太陽電池モジュールの発電停止が介在してもエラー情報を失わず、発電再開後に安全停止状態を維持することができるパワーコンディショナを提供する。【解決手段】太陽電池モジュール１が発電停止状態のときに電力系統３から給電を受けるための第２給電路４２を備えたパワーコンディショナ２において、制御部４２が所定のエラーを検出したときはそのエラー情報を不揮発性メモリに記憶させるとともに、制御部２４の起動時に不揮発性メモリにエラー情報が記憶されているか否かを判断し、記憶されていれば、制御部２４がパワーコンディショナ２を所定の安全停止状態に移行させるように構成する。これにより、第２給電路４２の電路開放手段４４が開放されているときに発電停止があってもエラー情報は失われず、発電再開時には安全停止状態に移行できる。【選択図】図１
2015104232.tif 000002
【特許請求の範囲】
【請求項１】
太陽電池モジュールで発電された電力を電力系統に連系させるためのパワーコンディショナであって、
前記太陽電池モジュールが発電停止状態にあるときに前記電力系統から給電を受けるための夜間用給電路と、該夜間用給電路の短絡／開放の切替えを行う電路開放手段と、前記パワーコンディショナの制御を行う制御部と、所定の操作部とを備えてなり、
前記制御部は、所定のエラーを検出したときに当該エラーの情報を不揮発性メモリに記憶させる制御構成と、起動時に前記不揮発性メモリに前記エラーの情報が記憶されていればパワーコンディショナを所定の安全停止状態に移行させる制御構成と、前記安全停止状態にあるときは前記操作部において所定のエラー解除操作が行われるまで前記安全停止状態を維持する制御構成とを備えていることを特徴とするパワーコンディショナ。
【請求項２】
前記操作部はラッチ式のスイッチで構成され、該スイッチのラッチ解除操作が前記エラー解除操作とされていることを特徴とする請求項１に記載のパワーコンディショナ。
【請求項３】
前記スイッチのラッチ解除操作により前記不揮発性メモリに記憶された前記エラー情報が消去されることを特徴とする請求項２に記載のパワーコンディショナ。
【請求項４】
前記スイッチは、パワーコンディショナの運転／停止の切替を行う運転スイッチと兼用されていることを特徴とする請求項２または３に記載のパワーコンディショナ。
【発明の詳細な説明】
【技術分野】
【０００１】
この発明はパワーコンディショナに関し、より詳細には、太陽電池モジュールが発電停止状態にあるときに電力系統から給電を受けることができる構成を備えたパワーコンディショナに関する。
【背景技術】
【０００２】
太陽電池モジュールで発電された電力を商用電源などの電力系統に連系させるパワーコンディショナ（系統連系インバータ装置）には、パワーコンディショナの内外に各種センサ（電圧センサや電流センサなど）を備え、制御部がこれらセンサ類の測定結果に基づいて、太陽電池モジュールの発電量、電力系統への売電電力、電力系統からの買電電力などを演算し、これらの演算結果を外部のモニタ装置に表示させる機能（モニタ機能）を備えたものがある（たとえば、特許文献１参照）。
【０００３】
このようなモニタ機能を備えたパワーコンディショナでは、夜間など太陽電池モジュールが発電を行っていないときでも制御部が買電電力を演算できるようにするために、電力系統側から給電を受けるための夜間用給電路を備えたものがある。
【０００４】
ところで、このような夜間用給電路を備えたパワーコンディショナを複数台併設する場合、モニタ装置が接続されるパワーコンディショナ（親機）以外の他のパワーコンディショナ（子機）は買電電力の演算を行う必要がないため夜間の給電は不要である。そのため、出願人は、夜間用給電路に電路の短絡／開放の切替えを行う電路開放手段（たとえば、着脱自在の短絡ピンなど）を備えさせ、子機となるパワーコンディショナの電路開放手段は開放状態としておくことで、太陽電池モジュールが発電を行っていない夜間に子機で無駄な電力が消費されるのを抑制することを提案している。
【先行技術文献】
【特許文献】
【０００５】
【特許文献１】特開２００４−１２３７６号公報
【発明の概要】
【発明が解決しようとする課題】
【０００６】
しかしながら、このような構成には以下の問題があり、その改善が望まれていた。
すなわち、夜間用給電路の電路開放手段が開放状態とされたパワーコンディショナ（子機）は、太陽電池モジュールの発電が停止すると制御部に対する電源供給が停止するため、太陽電池モジュールの発電停止に伴って制御部のマイコンがリセットされてしまう。
【０００７】
制御部のマイコンは、パワーコンディショナの制御にあたり様々なデータを一時的に揮発性のメモリ（たとえば、ＲＡＭ）に記憶するようになっていることから、子機とされたパワーコンディショナは、日没によって太陽電池モジュールの発電が停止すると、制御部のマイコンのリセットに伴って揮発性のメモリに記憶されていたデータが消去され、日の出により制御部の動作が再開したときには当該データは失われている。
【０００８】
一方、パワーコンディショナの制御部はエラー検出機能を備えており、この機能により、制御部は各種センサの測定結果からパワーコンディショナに異常がないかを診断するようになっている。そして、この診断の結果、異常がある（エラーが検出された）場合、制御部は当該エラーの情報（エラー情報）を揮発性のメモリに記憶させ、その後のパワーコンディショナの制御にこのエラー情報を利用するようになっている。
【０００９】
そのため、上述したように、子機とされたパワーコンディショナの制御部のマイコンが日没によってリセットされてしまうと、エラー情報も消去され、日の出により動作を再開した制御部はエラーがないものとして、パワーコンディショナの制御を行うおそれがあった。
【００１０】
本発明は、このような従来の問題点に鑑みてなされたものであって、その目的とするところは、太陽電池モジュールの発電停止が介在してもエラー情報を失わず、発電再開後に安全停止状態を維持することができるパワーコンディショナを提供することにある。
【課題を解決するための手段】
【００１１】
上記目的を達成するため、本発明の請求項１に記載のパワーコンディショナは、太陽電池モジュールで発電された電力を電力系統に連系させるためのパワーコンディショナであって、上記太陽電池モジュールが発電停止状態にあるときに上記電力系統から給電を受けるための夜間用給電路と、該夜間用給電路の短絡／開放の切替えを行う電路開放手段と、上記パワーコンディショナの制御を行う制御部と、所定の操作部とを備えてなり、上記制御部は、所定のエラーを検出したときに当該エラーの情報を不揮発性メモリに記憶させる制御構成と、起動時に上記不揮発性メモリに上記エラーの情報が記憶されていればパワーコンディショナを所定の安全停止状態に移行させる制御構成と、上記安全停止状態にあるときは上記操作部において所定のエラー解除操作が行われるまで上記安全停止状態を維持する制御構成とを備えていることを特徴とする。
【００１２】
請求項１に記載のパワーコンディショナは、太陽電池モジュールが発電停止状態にあるときには夜間用給電路を介して電力系統から給電を受けることができるので、太陽電池モジュールが発電停止状態にあるときでも制御部は買電電力の演算を行うことができる。また、夜間用給電路には電路の短絡／開放の切替えを行う電路開放手段が備えられているので、複数のパワーコンディショナを併設する際には、買電電力などを表示するモニタ装置が接続されないパワーコンディショナ（子機）の電路開放手段を開放状態としておくことで、子機に対する夜間の給電が停止され、子機での無駄な電力消費が削減される。
【００１３】
また、制御部は所定のエラーの情報を不揮発性メモリに記憶するとともに、起動時に不揮発性メモリに上記エラーの情報があれば所定の安全停止状態となるので、夜間に給電が行われないパワーコンディショナ（子機）であっても、太陽電池モジュールの発電停止によって所定のエラーの情報を失うことなく確実に安全停止状態に移行できる。そして、安全停止状態は、操作部において所定のエラー解除操作が行われるまで維持されるので、安全停止状態の維持を通じてユーザにエラー解除操作を促すことができる。
【００１４】
なお、ここで太陽電池モジュールの発電停止状態とは、太陽電池モジュールの発電が完全に停止している場合は勿論のこと、太陽電池モジュールの出力電圧がパワーコンディショナの動作停止電圧（つまり、電力系統に連系可能な交流電力を出力するのに必要な最低電圧）未満である場合を含んでいる。
【００１５】
本発明の請求項２に記載のパワーコンディショナは、請求項１に記載のパワーコンディショナにおいて、上記操作部がラッチ式のスイッチで構成され、該スイッチのラッチ解除操作が上記エラー解除操作とされていることを特徴とする。
【００１６】
請求項２に記載のパワーコンディショナでは、エラー解除操作がラッチ式のスイッチのラッチ解除操作によるものとされているので、ユーザはラッチ式スイッチの状態（ラッチが解除されているか否か）によりエラー解除操作が行われたか否かを容易に把握でき、エラー解除操作の操作忘れを減らすことができる。
【００１７】
本発明の請求項３に記載のパワーコンディショナは、請求項２に記載のパワーコンディショナにおいて、上記スイッチのラッチ解除操作により上記不揮発性メモリに記憶された上記エラー情報が消去されることを特徴とする。
【００１８】
請求項３に記載のパワーコンディショナでは、スイッチのラッチ解除操作によって不揮発性メモリに記憶されたエラー情報が消去されるので、エラー解除操作後に新たに所定のエラーが検出されたときは、制御部は適切に所定の安全停止状態に移行できる。
【００１９】
本発明の請求項４に記載のパワーコンディショナは、請求項２または３に記載のパワーコンディショナにおいて、上記スイッチが、パワーコンディショナの運転／停止の切替を行う運転スイッチと兼用されていることを特徴とする。
【００２０】
請求項４に記載のパワーコンディショナでは、エラー解除操作を行うスイッチが、パワーコンディショナの運転／停止の切替を行う運転スイッチと兼用されていることから、操作部のスイッチを減らすことができる。
【発明の効果】
【００２１】
本発明に係るパワーコンディショナによれば、夜間用給電路の電路開放手段を短絡／開放いずれの状態で使用しても（パワーコンディショナを親機、子機いずれで使用しても）、太陽電池モジュールの発電が停止しているときにエラー情報は失われないので、太陽電池モジュールの発電再開後に制御部はパワーコンディショナを適切かつ確実に安全停止状態とすることができ、安全性の高いパワーコンディショナを提供することができる。
【図面の簡単な説明】
【００２２】
【図１】本発明に係るパワーコンディショナを用いた太陽光発電システムの概略構成を示す回路図である。
【図２】同パワーコンディショナにおけエラー情報の記憶・消去の手順を示すフローチャートである。
【図３】同パワーコンディショナにおけるエラー情報の復元手順を示すフローチャートである。
【発明を実施するための形態】
【００２３】
以下、本発明の実施形態を図面に基づいて説明する。
図１は、本発明に係るパワーコンディショナを用いた太陽光発電システムの概略構成を示している。この図１に示す太陽光発電システムは、太陽電池モジュール１と、パワーコンディショナ２と、電力系統３とを主要部として構成されている。
【００２４】
太陽電池モジュール１は、周知のとおり、光エネルギを直流電力に変換する太陽電池（太陽電池セル）を用いた発電装置である。この太陽電池モジュール１は、日当たりのよい場所、たとえば、住宅の屋根上などに設置される。図示例では、太陽電池モジュール１として１枚のモジュールを図示しているが、複数枚の太陽電池モジュール１を直列に接続して太陽電池アレイを構成してもよい。なお、太陽電池モジュール１が多数設置される場合、複数台のパワーコンディショナ２にこれらを分散して接続することがある。その場合、パワーコンディショナ２は電力系統３に対して並列に接続され、各パワーコンディショナ２に太陽電池モジュール１が分散接続される。
【００２５】
パワーコンディショナ２は、太陽電池モジュール１で発電された直流電力を商用電力系統などの電力系統３に連系可能な交流電力に変換するための電力変換装置（系統連系インバータ装置）であって、このパワーコンディショナ２には、コンバータ部２１、インバータ部２２、系統連系スイッチ２３、制御部２４、操作部２５、表示部２６および制御電圧回路部２７が主要部として備えられている。
【００２６】
コンバータ部２１は、周知のとおり、太陽電池モジュール１で発電された直流電力の電圧を所定の電圧まで昇圧するＤＣ／ＤＣコンバータ回路を備えて構成されている。本実施形態では、コンバータ部２１には公知のコンバータ回路、たとえば昇圧プッシュプル型のコンバータ回路が用いられる。
【００２７】
インバータ部２２は、コンバータ部２１で昇圧された直流電力を電力系統３に連系可能な交流電力（たとえば、単相三線式の交流１００／２００Ｖ）に変換するＤＣ／ＡＣインバータ回路を備えて構成されている。本実施形態では、このインバータ部２２は公知のブリッジ型インバータ回路で構成されている。具体的には、４個の絶縁ゲートバイポーラトランジスタ（ＩＧＢＴ）、これらＩＧＢＴに駆動信号を与える駆動回路およびＩＧＢＴのエラー検出を行うエラー検出回路などを組み込んだ半導体素子（ＩＰＭ：Intelligent Power Module）で構成されており、この半導体素子（ＩＰＭ）のエラー検出回路がＩＧＢＴの故障を検出すると、当該半導体素子（ＩＰＭ）から所定のエラー信号（ＩＰＭフォルト信号）が出力されるようになっている。
【００２８】
そして、コンバータ部２１とインバータ部２２はＤＣリンクコンデンサ（ＤＣリンク部）２８を介して接続され、インバータ部２２の出力側が系統連系スイッチ２３を介して電力系統３に接続されている。系統連系スイッチ２３は、制御部２４によって制御されており、スイッチの接点を閉じることでパワーコンディショナ２を電力系統３に連系可能な状態とする一方、スイッチの接点を開くことでパワーコンディショナ２を電力系統から解列するようになっている。
【００２９】
制御部２４は、パワーコンディショナ２の各部を制御する制御装置であって、制御中枢としてマイコン（図示せず）を備えている。この制御部２４は、パワーコンディショナ２の各部を制御するためにパワーコンディショナ２の内外に各種センサ類を備えており、これらセンサ類の測定結果などに基づいてパワーコンディショナ２の制御を行うほか、パワーコンディショナ２に異常がないか否かを診断する（パワーコンディショナ２のエラー検出を行う）ように構成されている。
【００３０】
具体的には、制御部２４は上記センサ類として、図示のように、コンバータ部２１への入力電圧（太陽電池モジュール１の出力電圧）を測定する入力電圧センサ３１、コンバータ部２１への入力電流（太陽電池モジュール１の出力電流）を測定する入力電流センサ３２、ＤＣリンク部２８の電圧を測定するＤＣリンク電圧センサ３３、インバータ部２２の出力電流を測定する出力電流センサ３４、電力系統３の電圧を測定する系統電圧センサ３５、太陽電池モジュール１とコンバータ部２１との間の往復電流を監視する零相変流器（図示せず）などをパワーコンディショナ２の内部に備えるほか、パワーコンディショナ２の外部に電力系統３との間に流れる電流を測定する売買電力演算用の電流センサ（図示せず）を備えている。
【００３１】
そして、制御部２４は、パワーコンディショナ２の通常の制御として、入力電圧センサ３１の測定値がパワーコンディショナ２の動作開始電圧Ｖon（たとえば、８０Ｖ）以上になるとパワーコンディショナ２による系統連系動作（具体的には、コンバータ部２１およびインバータ部２２を動作させ、系統連系スイッチ２３を閉じる処理）を行い、太陽電池モジュール１で発電された電力を電力系統３に連系させる一方、入力電圧センサ３１の測定値がパワーコンディショナ２の動作停止電圧Ｖoff未満になるとパワーコンディショナ２の解列動作（具体的には、コンバータ部２１およびインバータ部２２の動作を停止させ、系統連系スイッチ２３を開く処理）を行って太陽電池モジュール１を電力系統３から解列させるようになっている。なお、パワーコンディショナ２が系統連系動作中は、パワーコンディショナ２の出力電力が電力系統３と連系できるように、制御部２４は、コンバータ部２１およびインバータ部２２の動作を制御するようになっている。
【００３２】
これに対して、パワーコンディショナ２のエラー検出は、上述したセンサ類などを用いてパワーコンディショナ２の様々な異常の検出を行う。そして、特に本実施形態では、制御部２４は、これらセンサ類などを用いて少なくとも以下の（１）〜（７）に示すエラー検出を行うように構成されている。
【００３３】
なお、これら（１）〜（７）に示すエラーは、その内容からユーザが操作部２５でエラー解除の所定操作を行うことが求められるエラーであり、これら（１）〜（７）のいずれかのエラーが検出されると、制御部２４は、当該エラーの情報（エラー情報）を制御部２４に備えられた不揮発性メモリ（図示せず）に記憶するように構成されている（詳細は後述する）。
【００３４】
（１）ＩＰＭフォルトエラー：このエラーは、インバータ部２２の半導体素子（ＩＰＭ）から出力されるＩＰＭフォルト信号を制御部２４が受信することによって検出される。具体的には、ＩＰＭフォルト信号を所定回数受信するなどの一定条件が成立したときに制御部２４がＩＰＭフォルトエラーと判断する。
【００３５】
（２）直流地絡エラー：このエラーは、太陽電池モジュール１とパワーコンディショナ２との間の往復電流の差が所定値以上となった場合（零相変流器の出力が所定値以上となった場合）に制御部２４が直流地絡エラーと判断する。
【００３６】
（３）直流分流出エラー：このエラーは、出力電流センサ３４の測定値に直流電流が含まれている場合に制御部２４が直流分流出エラーと判断する。
【００３７】
（４）解列不能エラー：このエラーは、制御部２４が系統連系スイッチ２３を開く制御を行ったにもかかわらず出力電流センサ３４が電流を検出している場合に制御部２４が解列不能エラーと判断する。
【００３８】
（５）入出力電力異常エラー：このエラーは、入力電圧センサ３１と入力電流センサ３２の測定値から演算される入力電力と、出力電流センサ３４と系統電圧センサ３５の測定値から演算される出力電力の関係が正常でない場合に制御部２４が入出力電力異常エラーと判断する。
【００３９】
（６）入力過電流エラー：このエラーは、入力電流センサ３２の測定値がパワーコンディショナ２の入力電流の上限値以上となった場合に制御部２４が入力過電流エラーと判断する。
【００４０】
（７）ＤＣリンク電圧高圧エラー：このエラーは、ＤＣリンク電圧センサ３３の測定値が所定電圧以上である場合に制御部２４がＤＣリンク電圧高圧エラーであると判断する。
【００４１】
また、制御部２４は、このようなパワーコンディショナ２の制御やエラー検出に加え、太陽電池モジュール１の発電量、電力系統３への売電電力、電力系統３からの買電電力などを演算して、所定のモニタ装置４に表示させる機能が備えられている。たとえば、太陽電池モジュール１の発電量は、入力電圧センサ３１および入力電流センサ３２の測定結果から演算される。また、電力系統３への売電電力および電力系統３からの買電電力は図示しない売買電力演算用の電流センサおよび系統電圧センサ３５の測定結果から演算される。また、これら発電量や売買電力はいずれも制御部２４において積算が可能であり、これらの積算値も制御部２４において演算される。
【００４２】
ここで、モニタ装置４は、制御部２４で演算される太陽電池モジュール１の発電量、電力系統３への売電電力、電力系統３からの買電電力などを表示するための表示装置であって、文字や図形の表示が可能な液晶表示パネルなどの表示装置が用いられる。このモニタ装置４は、居間や台所などパワーコンディショナ２とは離れた位置に配置されるものであって、制御部２４と有線または無線（図示例では、通信線５）で接続され、制御部２４で演算されたこれらの値が文字や図形で表示可能となっている。なお、このモニタ装置４による発電量等の表示に関連して、制御部２４にはモニタ装置４と通信するための通信手段が備えられている。
【００４３】
操作部２５は、制御部２４に対する各種コマンドを入力するための入力手段であって、複数の操作スイッチ（図示せず）を備えて構成されている。具体的には、たとえば、パワーコンディショナ２の運転／停止の切替え（換言すれば、上述した制御部２４によるパワーコンディショナ２の通常の制御が可能な「運転」状態と、上記通常の制御が禁止される「停止」状態の切替え）を行う運転スイッチと、後述する表示部２６の表示／表示停止を指示する表示スイッチなどが備えられている。
【００４４】
ここで、上記運転スイッチはラッチ式のスイッチで構成されている。すなわち、ユーザが運転スイッチを押下げ操作すると、運転スイッチが押下状態（「運転」指示の状態）でラッチされ、制御部２４はパワーコンディショナ２の通常制御を行うようになる。これに対して、押下状態にある運転スイッチの復帰操作（ラッチ解除操作）を行うと、運転スイッチを押下状態に保持していたラッチが解除され押下前の状態となって、制御部２４はパワーコンディショナ２の通常制御を停止するようになっている。なお、この運転スイッチは、後述するエラー情報の消去を行うスイッチにも兼用されている（詳細は後述する）。
【００４５】
表示部２６は、パワーコンディショナ２に備えられた表示装置であって、この表示部２６にも液晶表示パネルなどの表示装置が用いられる。なお、この表示部２６は、パワーコンディショナ２自体に備えられるため小型の表示装置で構成されており、この表示部２６にも上述した制御部２４での演算結果などが表示可能とされている。
【００４６】
制御電圧回路部２７は、パワーコンディショナ２の各部に駆動電力を供給する電源回路であって、周知のＤＣ／ＤＣコンバータで構成されている。この制御電圧回路部２７は、太陽電池モジュール１が発電を行っているときは太陽電池モジュール１側から電源供給（給電）を受ける一方、太陽電池モジュール１の発電が停止しているときは電力系統３側から電源供給を受けるように構成されている。
【００４７】
具体的には、この制御電圧回路部２７には、該制御電圧回路部２７に電源供給を行うための給電路として、太陽電池モジュール１が発電を行っているときに太陽電池モジュール１側から電源供給を行う第１給電路（昼間用給電路）４１と、太陽電池モジュール１が発電停止状態にあるときに電力系統３側から電源供給を行う第２給電路（夜間用給電路）４２とが備えられている。なお、ここで、太陽電池モジュール１の発電停止状態とは、太陽電池モジュール１での発電が完全に停止している場合だけでなく、太陽電池モジュール１の出力電圧（パワーコンディショナ２への入力電圧）が動作停止電圧Ｖoff未満である場合を含む意である（以下、同様）。
【００４８】
第１給電路４１は、コンバータ部２１の出力電圧を制御電圧回路部２７に供給するように配線されている。第１給電路４１に介装されたダイオード４３は、第２給電路４２から供給される電流がコンバータ部２１に逆流するのを防止するための逆流阻止用のダイオードである。
【００４９】
第２給電路４２は、電力系統３からの出力電圧を制御電圧回路部２７に供給するように配線されており、この第２給電路４２には、電力系統３側から順に、第２給電路４２の電路の短絡／開放の切替えを行う電路開放手段４４、第２給電路４２を介した給電（夜間給電）を行うための夜間給電スイッチ４５、電力系統３から供給される交流電力を直流電力に変換する整流回路部４６および第１給電路４１から供給される電流が電力系統３側（具体的には整流回路４６）に逆流するのを防止する逆流阻止用のダイオード４７が備えられている。
【００５０】
電路開放手段４４は、パワーコンディショナ２を複数台併設する場合に、モニタ装置４が接続されないパワーコンディショナ２（つまり、子機となるパワーコンディショナ２）に対して電力系統３側からの夜間給電を行わないように設定するためのものであって、本実施形態では、第２給電路４２に着脱自在に装備される器具（たとえば、短絡ピンなどのコネクタ装置）で構成され、手動操作によって取り外すことにより第２給電路４２を開放状態とするようになっている。すなわち、この電路開放手段４４は、パワーコンディショナ２をモニタ装置４が接続される親機として使用する場合には第２給電路４２の電路を短絡させるように装着され、子機として使用する場合には第２給電路４２の電路を開放するように取り外すようになっている。
【００５１】
なお、この電路開放手段４４は第２給電路４２に備えられていればよく、たとえば、夜間給電スイッチ４５の下流側に備えられていてもよい。また、電路開放手段４４は、手動操作によって第２給電路４２の電路の短絡／開放の切り替えができればよく、着脱自在のコネクタ装置に代えて、手動操作によって電路の短絡／開放の切り替えを行うスイッチ回路で構成することも可能である。
【００５２】
夜間給電スイッチ４５は、太陽電池モジュール１の発電が停止した時に、制御電圧回路部２７が電力系統３側から給電を受けられるようにするためのスイッチ回路であって、この夜間給電スイッチ４５は、太陽電池モジュール１の出力電圧が動作停止電圧Ｖoff未満となったことを制御部２４が検出すると、制御部２４からの制御によって接点が閉じられるように構成されている。
【００５３】
なお、整流回路部４６は、周知のブリッジダイオード回路で構成されている。
【００５４】
次に、このように構成されたパワーコンディショナ２において、制御部２４が上述した（１）〜（７）に示したエラーを検出したときの処理手順およびその後の処理手順について図２および図３に基づいて説明する。
【００５５】
図２は、これらのエラー情報の記憶・消去の手順を示している。
制御部２４は、上記（１）〜（７）のいずれかのエラーを検出すると（図２ステップＳ１が「Ｙｅｓ」になると）、当該検出したエラーのエラー情報（具体的には、当該エラーの内容を示す情報）を制御部２４の不揮発性メモリに記憶させる（図２ステップＳ２参照）。
【００５６】
ここで、このエラー情報を記憶する不揮発性メモリとしては、エラー情報記憶用に専用のメモリを用いてもよいが、本実施形態では、制御部２４においてセンサ類の測定値補正用のデータなどを記憶する既設の不揮発性メモリの空き領域を使用するようにしている。
【００５７】
そして、制御部２４は、エラー情報を不揮発性メモリに記憶させるのと並行して、パワーコンディショナ２を所定の安全停止状態に移行させる。具体的には、たとえば、コンバータ部２１およびインバータ部２２の動作を停止させるとともに系統連系スイッチ２３を開いて、太陽電池モジュール１を電力系統３から解列させる。つまり、パワーコンディショナ２の動作を停止させる。なお、この安全停止状態は、後述する所定のエラー解除操作が行われるまで制御部２４が維持するように構成されている。
【００５８】
一方、このようにして記憶されたエラー情報の消去は、ユーザによる所定のエラー解除操作によって行われるようになっている。すなわち、上記（１）〜（７）のエラーは、いずれもパワーコンディショナ２にとって重大な異常（故障）であるので、異常を解消（故障を修理）した後にユーザが手動で消去するようにしている。
【００５９】
本実施形態では、このエラー情報の消去は、操作部２５の運転スイッチの操作により行われる。すなわち、上記エラーは運転スイッチがオンの状態、つまり、運転スイッチが押下状態でラッチされているときに制御部２４が検出するので、運転スイッチの復帰操作（ラッチ解除操作）で制御部２４が不揮発性メモリに記憶しているエラー情報を削除するように構成している（図２ステップＳ３〜Ｓ５参照）。
【００６０】
なお、本実施形態では、エラー解除操作を運転スイッチの操作によって行うように構成したが、エラー解除操作は運転スイッチ以外のスイッチ（たとえば、エラー解除用の専用のスイッチ）で行うように構成することも可能である。そして、その場合、エラー解除操作が行われたか否かをユーザが容易に確認できるように、当該スイッチもラッチ式のスイッチで構成するのが好ましい。
【００６１】
このように、所定のエラー（上記（１）〜（７）のエラー）を検出した制御部２４は、検出したエラーのエラー情報を不揮発性メモリに記憶することによって、パワーコンディショナ２が子機として用いられる場合、つまり、制御電圧回路部２７に電力系統３側からの夜間給電が行われない場合であっても、エラー情報は消失することなく保持される。
【００６２】
そして、このように所定のエラーのエラー情報を不揮発性メモリに記憶させるのと併せて、制御部２４は、その起動時（電源供給が開始され制御部２４が起動した時）に、まず、不揮発性メモリにエラー情報が記憶されているか否かを判断するように構成し（図３ステップＳ１参照）、エラー情報が記憶されていればその情報を不揮発性メモリから読み出して復元するように構成される（図３ステップＳ２参照）。
【００６３】
これにより、制御電圧回路部２７に夜間給電が行われないパワーコンディショナ２（子機）であっても、不揮発性メモリにエラー情報が記憶されていれば、日の出によって太陽電池モジュール１側からの給電が開始され、制御部２４が起動すると、制御部２４は復元したエラー情報に基づいて所定の安全停止状態に移行することができる。
【００６４】
このように、本発明に係るパワーコンディショナ２によれば、第２給電路４２の電路開放手段４４を短絡／開放いずれの状態で使用しても（パワーコンディショナを親機、子機いずれで使用しても）、太陽電池モジュール１の発電停止の介在によって検出したエラー情報は失われないので、太陽電池モジュール１の発電再開後に、制御部２４がパワーコンディショナ２を確実に安全停止状態とすることができる。そのため、安全性の高いパワーコンディショナ２を提供することができる。
【００６５】
なお、上述した実施形態は本発明の好適な実施態様を示すものであって、本発明はこれに限定されることなく発明の範囲内で種々の設計変更が可能である。
【００６６】
たとえば、上述した実施形態では、所定のエラーを検出した際に制御部２４が行う安全停止状態として、太陽電池モジュール１を電力系統３から解列させる場合を示したが、これらの処理に代えて、または、これらの処理に加えて他の処理を行うように構成することも可能である。要は、パワーコンディショナ２を安全に停止させることができれば他の内容の処理であってもよい。
【符号の説明】
【００６７】
１              太陽電池モジュール
２              パワーコンディショナ
３              電力系統
４              モニタ装置
２１            コンバータ部
２２            インバータ部
２３            系統連系スイッチ
２４            制御部
２５            操作部
２６            表示部
２７            制御電圧回路部
２８            ＤＣリンク部
４１            第１給電路
４２            第２給電路（夜間用給電路）
４４            電路開放手段
【図１】
2015104232.tif 000003
【図２】
2015104232.tif 000004
【図３】
2015104232.tif 000005